(57)【要約】【課題】本物の小魚の尾鰭を起点とした揺動による、通常の泳ぎと不規則で弱った動きを容易に再現可能な尾を振るルアーを提供することにより、スレた対象魚も効果的に誘引して、ルアー釣りを存分に楽しむことを課題とする。【解決手段】揺動自在に分割して構成した尾鰭部を備える分割部に、水圧を受けて尾鰭部を揺動させる抵抗板を設ける。または尾鰭部を揺動自在に構成して、釣り糸を結ぶアイレットを尾鰭部に設ける等の手段でルアーを構成することにより、容易にルアーが本物の小魚の泳ぎ（前記課題）を再現する。【選択図】  図１
2004173657.tif 000002
【特許請求の範囲】
【請求項１】
ルアー本体を複数個に分割し、該分割部間を揺動または回動自在に連結すると共に、水圧を受けてルアーを揺動させる抵抗部を少なくとも前（進行側）から２番目以降の分割部に、また釣り糸を結ぶアイレットを１番前（進行側）の分割部に設けて構成することを特徴とする尾を振るルアー。
【請求項２】
前記抵抗部として、水圧を受けてルアーを揺動沈降させる抵抗板（リップ）を、少なくとも前（進行側）から２番目以降の分割部に前方下方向きに突出して形成すると共に、略尾鰭状の尾鰭部を最後尾の分割部に設けて構成することを特徴とする請求項１記載の尾を振るルアー。
【請求項３】
回転部の前後両端のそれぞれに、水圧を受けてルアーを揺動させる抵抗部と略尾鰭状の尾鰭部とを備えて成る揺動部を形成し、該揺動部をルアー本体に揺動または回動自在に取り付け、釣り糸を結ぶアイレットを抵抗部近辺の揺動部またはルアー本体の少なくともどちらか一方に設けて構成することを特徴とする尾を振るルアー。
【請求項４】
前記抵抗部として、水圧を受けてルアーを揺動沈降させる抵抗板（リップ）を前記回転部の前端（進行側）に前方下方向きに突出して形成すると共に、前記揺動部をルアー本体に対して左右（ヨー）方向に回動自在に軸着し、また前記回転部の左右（ヨー）方向への可動範囲の左右外側のルアー本体に、外形形状を兼ねた縦壁を形成し、該縦壁前端部の内幅寸法よりも、その直前部の前記揺動部の左右幅寸法を大きく設け、上下に分割されたルアー本体で前記回転部を滑動可能に挟み込むように、前記縦壁部にてルアー本体の上下を接合して構成することを特徴とする請求項３記載の尾を振るルアー。
【請求項５】
前記回転部の外形状をルアー本体の外形状とほぼ等しく形成し、前記揺動部の左右（ヨー）方向への可動範囲を確保可能なように、該回転部にその内側を上下方向に貫通する貫通孔と、ルアー本体に前記貫通孔に内設する縦壁とを設け、上下に分割されたルアー本体で前記回転部を滑動可能に挟み込むように、前記縦壁部にてルアー本体の上下を接合して構成することを特徴とする請求項３記載の尾を振るルアー。
【請求項６】
前記揺動部の材料は、ステンレススチール等の防錆性能の高い金属または合成樹脂を用い、金属材料の場合は、前記尾鰭部を別対に形成して、回転部にカシメまたは溶接により接合して構成することを特徴とする請求項３〜５のいずれか１項に記載の尾を振るルアー。
【請求項７】
略尾鰭状の尾鰭部をルアー本体の最後尾に揺動または回動自在に取り付けると共に、釣り糸を結ぶアイレットを尾鰭部に、また釣り糸を通すガイドをルアー本体に設けて、釣り糸を引くことによる尾鰭部の回転と、釣り糸を緩めることによる尾鰭部の自重または浮力による元位置復帰を可能に構成することを特徴とする尾を振るルアー。
【請求項８】
前記尾鰭部をルアー本体の最後尾に、ほぼ上下方向に回動自在に軸着し、該回転軸中心位置が水面近辺になるようにルアーに浮力を持たせると共に、前記尾鰭部の回動範囲が水面より下方に１０度程度から水面より上方に７０度程度までとなるように、該尾鰭部の回動を規制する上ストッパーと下ストッパーとを該回転軸の上下のルアー本体位置にそれぞれ形成し、更に釣り糸を結ぶアイレットを尾鰭部の上面に、また釣り糸を通すガイドをルアー本体の前端上部と前記上ストッパーの上部にそれぞれ設け、そして、釣り糸を引くことによる尾鰭部の跳ね上げと、釣り糸を緩めることによる尾鰭部の自重による元位置復帰を可能に構成することを特徴とする請求項７記載の尾を振るルアー。
【請求項９】
前記尾鰭部の一部または全部を分割して尾鰭分割部を別体に形成すると共に、該尾鰭分割部を元の分割位置に、前記尾鰭部の揺動方向に揺動または回動自在に取り付けて構成することを特徴とする請求項２〜８のいずれか１項に記載の尾を振るルアー。
【請求項１０】
略尾鰭状の羽を放射方向に複数枚以上設けた水車を、該水車の回転軸がルアーを引く方向に対して垂直になるように、ルアー本体の最後尾に回動自在に取り付けて構成することを特徴とする尾を振るルアー。
【請求項１１】
ルアー本体の最後尾に、凹状の水車受けを、該水車受けの切欠き部が上下方向向きに且つその開放端が後方向きになるように形成すると共に、４枚のほぼ平坦な前記略尾鰭状の羽を９０度間隔（羽平面間）に設けた前記水車を前記水車受けの開放端の先端に回動自在に軸着し、そして該水車の回転軸中心位置が水面より数ｍｍ程度上になるようルアーに浮力を持たせて構成することを特徴とする請求項１０記載の尾を振るルアー。
【請求項１２】
前記ルアーの材料は、合成樹脂、ゴム、木、金属を用いて、ルアーの構成部品毎に強度、比重、柔軟性を調整して構成することを特徴とする請求項１〜５、７〜１１のいずれか１項に記載の尾を振るルアー。
【発明の詳細な説明】
【０００１】
【発明の属する技術分野】本発明は、釣り用ルアーにおける、尾を振るルアーに関するものである。
【０００２】
【従来の技術】従来より、様々な種類のルアーが提案、商品化されている。その中で最も一般的な、捕食される小魚の動きを模したルアーは、ルアー本体の前部に水の抵抗を受けるリップを設け、リップが受けた水圧の変化によりルアー本体が揺動する物である。そして、より小魚の動きを再現して釣りの対象魚を誘引するために、ルアー本体の後部を、分割して連結構造にしたり（以下ジョイントタイプ）、ルアー本体の後部に尾鰭に相当する物を連結したりしていた。
【０００３】本物の捕食される小魚の通常の泳ぎは、主に尾鰭の左右への揺動（以下ヨーイング）によって水を後方に撹乱して推進力を得ると共に、尾鰭から後方に自発的に波動を発する。この時の小魚の頭部は、尾鰭の揺動とは逆方向に揺動を行ってバランスを取り、頭部から尾鰭に渡って緩やかなＳの字を描くが、頭部のヨーイングは尾鰭のヨーイングに対して極めて小さい。そして、前記ヨーイングと共に、頭部から尾鰭までの体の軸をほぼ水平に保ちながら、少しだけ該体の軸を左右に傾けて（ローリングして）しなやかな尾鰭の揺動を可能にする。また、特に弱った小魚は、（主に浮き袋の浮力により）水面近くで頭部や体側部を上に向けたまま尾鰭や頭部を振ったり、急に大きく身をひるがえすようにローリングしてもだえたり、（ヨタ、ヨタ、ヨタッと）一定でない蛇行をしたりという不規則な動きをする。そして、前記の小魚の通常の泳ぎに、これらの不規則な動きが加わることにより、小魚を捕食するルアー釣りの対象魚を本能的に最も誘引する。更に、釣りの対象魚は、これらの小魚の動きを主に水中を伝わる波動として側線から感じ取る。
【０００４】これに対し、従来のリップを設けた一体型のルアーは、釣り糸を引くことにより、頭部に設けたリップが水圧変化を受け、リップの付け根付近を中心にした、主にヨーイングによって水を揺動し、ルアーの全体から四方八方に波動を発している。この時のルアーの頭部にあたるリップの先端付近は、尾部のヨーイングとは逆方向に揺動するが、頭部の左右方向への動きは小魚の動きに対して直線的で極めて大きい。また、リップの設けられた頭部が水圧で押し下げられるため、前のめりに頭を下げて泳ぐ姿勢になり、小魚の通常の水平姿勢や、弱って頭部を上げる姿勢とは大きく異なる。他方、ジョイントタイプや尾鰭に相当する物を連結したルアーは、ルアー後部の分割連結部や尾鰭に相当する物が、該連結部を最大振幅にして左右に折り曲げながら、ルアー前部のヨーイングに振り回されるだけであるため、ルアーの頭部であるリップの先端付近と尾部の先端は同方向に揺動してしまう上に、頭部の左右方向への動きも小魚の動きに対して極めて大きいため、尾部から後方に波動は発せられない。また、前のめりに頭を下げて泳ぐ姿勢も一体型のルアーと同様に小魚とは大きく異なる。
【０００５】つまり、従来のリップを設けたルアーは、（一体型でもジョイントタイプでも）ルアーの前端部に設けられたリップの付け根付近を起点とした揺動を行ない、そしてその波動を発するため、前記
【０００３】段落の小魚の通常の泳ぎである尾鰭を起点とした揺動および波動とは大きく異なる。また、前記
【０００３】段落の不規則な動きも、ルアーを引くだけでは再現できず、ルアー釣りの対象魚を誘引するには、高度な技術を必要とする。そして、釣りの対象魚は、これらの小魚の動きを主に水中を伝わる波動として側線から感じ取るため、釣果を上げるためには、前記の小魚の通常の泳ぎと不規則な動き再現して、小魚と同様な波動を発するルアーが必用になる。また、特に近年、ルアー釣り人口の増加も一因となって、釣りの対象魚が従来のルアーに簡単には誘引されなくなって（以下スレて）いる。このスレた対象魚を誘引するためにも、本物の小魚と同様に尾鰭を振って波動を発するルアーが必用になる。
【０００６】次に、先行技術文献情報としては、ルアーの左右に張り出した胸鰭に連動して尾鰭を揺動する機構を設けたルアーが提案されている（特許文献１参照）。
【０００７】また、ルアーの最後端部に魚の尾部形状に近似した抵抗体を取り付けたルアーが提案されている（特許文献２参照）。
【０００８】また、ルアーの内部にモーターの回転運動を尾鰭の往復運動にする機構を設けた電動式ルアーが提案されている（特許文献３参照）。
【特許文献１】特開平９−１１１号公報
【特許文献２】特開平９−３１３０７１号公報
【特許文献３】特開２０００−１２５７０３号公報
【０００９】
【発明が解決しようとする課題】それらを纏めると、従来のルアーには、次のような問題があった。
（イ）ルアーの前部に設けられたリップの付け根付近を起点としたルアーの揺動および波動が、本物の小魚の通常の泳ぎである尾鰭を起点としたものと大きく異なる。
（ロ）水面近くで頭部や体側部を上にして泳いだり、急に大きくローリングしたり、一定でない蛇行をしたりする本物の小魚の不規則で弱った動きおよび波動をルアーが再現出来ない。
（ハ）よって、釣りの対象魚がルアーに誘引されないため、釣果が上がらず、釣りが楽しくなくなる。
（ニ）
【特許文献１】の前記公報は、胸鰭に連動して尾鰭を揺動するアームのリンク機構が複雑になり、壊れ易い上に、胸鰭と尾鰭のヤジロベエ式の水圧連動機構が受ける全体の水圧が物理的に釣り合う安定方向に作動するため、小魚が泳ぐような揺動に至らない。
（ホ）
【特許文献２】の前記公報は、ルアーの最後端部に取り付けた魚の尾部形状に近似した抵抗体が、前記
【０００４】、
【０００５】段落のジョイントタイプや後部に尾鰭に相当する物を装着した従来技術のルアーに該当するため、前記（イ）〜（ハ）の問題がある。
（ヘ）
【特許文献３】の前記公報は、電動式ルアーが機構上複雑で重く大きくなる上に、ルアーを操って対象魚を誘い出すという、ルアー釣り本来の楽しみが皆無である。
（ト）以上の問題点を解決するルアーを安価に作成する。
これらのため、前記従来技術は実用化されていない。本発明は、上記の問題を解決するためになされたものである。
【００１０】
【課題を解決するための手段】請求項１記載の発明に係る尾を振るルアーは、ルアー本体を複数個に分割し、該分割部間を揺動または回動自在に連結する。そして、水圧を受けてルアーを揺動させる抵抗部を少なくとも前（進行側）から２番目以降の分割部に、また釣り糸を結ぶアイレットを１番前（進行側）の分割部に設けるように構成したものである。
【００１１】このような請求項１記載の発明によれば、抵抗部を設ける位置により、ルアーの揺動の起点を前部（進行側頭部）から後方へ移動可能なため、本物の小魚の動きである尾鰭を起点とした揺動に近付けることが出来る。
【００１２】請求項２記載の発明に係る尾を振るルアーは、前記抵抗部として、水圧を受けてルアーを揺動沈降させる抵抗板（リップ）を、少なくとも前（進行側）から２番目以降の分割部に前方下方向きに突出して形成する。そして、最後尾の分割部に略尾鰭状の尾鰭部を設けるように構成したものである。
【００１３】このような請求項２記載の発明によれば、ルアーの揺動沈降の起点を前部（進行側頭部）から後方へ移動し、沈降しながら尾鰭部を揺動可能にするため、本物の小魚の尾鰭を起点とした揺動および波動、および弱った小魚の頭部を上げて泳ぐ姿勢に近付けることが出来る。また、抵抗板を１番前（頭部）と２番目以降の複数の分割部に形成する場合、分割部同士の揺動の合成が不規則な動きを生み出すと共に、沈降能力を更に向上出来る。
【００１４】請求項３記載の発明に係る尾を振るルアーは、回転部の前後両端のそれぞれに、水圧を受けてルアーを揺動させる抵抗部と略尾鰭状の尾鰭部とを備えて成る揺動部を形成する。そして、該揺動部をルアー本体に対して揺動または回動自在にルアー本体に取り付け、釣り糸を結ぶアイレットを抵抗部近辺の揺動部またはルアー本体の少なくともどちらか一方に設けるように構成したものである。
【００１５】このような請求項３記載の発明によれば、抵抗部による尾鰭部の揺動性能を最大限に活かすことが出来る。また、釣り糸を結ぶアイレットの位置を変えることにより、ルアー本体と尾鰭部の相対運動に変化を与えることが出来る。
【００１６】請求項４記載の発明に係る尾を振るルアーは、前記抵抗部として、水圧を受けてルアーを揺動沈降させる抵抗板（リップ）を前記回転部の前端に前方下方向きに突出して形成すると共に、前記揺動部をルアー本体に対して左右（ヨー）方向に回動自在に軸着する。また、前記回転部の左右（ヨー）方向への可動範囲の左右外側のルアー本体に、ルアー本体と一体に外形形状を兼ねた縦壁を形成し、該縦壁前端部の内幅寸法よりも、その直前部の前記揺動部の左右幅寸法を大きく設ける。そして、上下に分割されたルアー本体で前記回転部を滑動可能に挟み込むように、前記縦壁部にてルアー本体の上下を接合するように構成したものである。
【００１７】このような請求項４記載の発明によれば、抵抗板の沈降能力と左右への揺動性能を同時に最大限に活かせる上に、請求項３記載の発明を、現実的に安価に作成出来る。また、前記回転部とルアー本体との間に異物が侵入するのを防止することが出来る。
【００１８】請求項５記載の発明に係る尾を振るルアーは、前記回転部の外形状をルアー本体の外形状とほぼ等しく形成し、前記揺動部の左右（ヨー）方向への可動範囲を確保可能なように、前記回転部にその内側を上下方向に貫通する貫通孔と、ルアー本体に一体に前記貫通孔に内設する縦壁とを設ける。そして、上下に分割されたルアー本体で前記回転部を滑動可能に挟み込むように、前記縦壁部にてルアー本体の上下を接合するように構成したものである。
【００１９】このような請求項５記載の発明によれば、請求項４記載の発明を、現実的に更に安価に作成出来る。
【００２０】請求項６記載の発明に係る尾を振るルアーは、前記揺動部の材料に、ステンレススチール等の防錆性能の高い金属または合成樹脂を用いる。そして、金属材料を用いる場合は、前記尾鰭部を別対に形成して、回転部にカシメまたは溶接により接合するように構成したものである。
【００２１】このような請求項６記載の発明によれば、請求項３〜５記載の発明を、より現実的に安価に作成出来る。
【００２２】請求項７記載の発明に係る尾を振るルアーは、略尾鰭状の尾鰭部をルアー本体の最後尾に揺動または回動自在に取り付けると共に、釣り糸を結ぶアイレットを尾鰭部に、また釣り糸を通すガイドをルアー本体に設ける。そして、釣り糸を引くことによる尾鰭部の回転と、釣り糸を緩めることによる尾鰭部の自重または浮力による元位置復帰を可能にするように構成したものである。
【００２３】このような請求項７記載の発明によれば、釣り糸を引くことによる尾鰭部の回転跳ね上げと、釣り糸を緩めることによる尾鰭部の自重または浮力による元位置復帰を繰り返すことにより、ルアーの尾鰭を直接揺動させる動きを与えることが出来る。また、尾鰭部が水中にあるときにルアーを引くことにより、前記尾鰭の動きによるルアー本体の動きの変化をルアーに与えることが出来る。
【００２４】請求項８記載の発明に係る尾を振るルアーは、前記尾鰭部をルアー本体の最後尾に、ほぼ上下方向に回動自在に軸着し、該回転軸中心位置が水面近辺になるようにルアーに浮力を持たせると共に、前記尾鰭部の回動範囲が水面より下方に１０度程度から水面より上方に７０度程度までとなるように、該尾鰭部の回動を規制する上ストッパーと下ストッパーとを該回転軸の上下のルアー本体位置にそれぞれ形成する。更に、釣り糸を結ぶアイレットを尾鰭部の上面に、また釣り糸を通すガイドをルアー本体の前端（頭部側）上部と前記上ストッパーの上部にそれぞれ設ける。そして、釣り糸を引くことによる尾鰭部の跳ね上げと、釣り糸を緩めることによる尾鰭部の自重による元位置復帰を可能にするように構成したものである。
【００２５】このような請求項８記載の発明によれば、釣り糸を引くことによる尾鰭部の回転跳ね上げと、釣り糸を緩めることによる尾鰭部の自重による元位置復帰を繰り返すことにより、ルアーの尾鰭に直接、連続水面叩きの動きを与えることが出来る。
【００２６】請求項９記載の発明に係る尾を振るルアーは、前記尾鰭部の一部または全部を分割して尾鰭分割部を別体に形成すると共に、該尾鰭分割部を元の分割位置に、前記尾鰭部の揺動方向に揺動または回動自在に取り付けて構成したものである。
【００２７】このような請求項９記載の発明によれば、尾鰭部の動作の自由度を増して、尾鰭部の揺動をしなやかにすることが出来る。
【００２８】請求項１０記載の発明に係る尾を振るルアーは、略尾鰭状の羽を放射方向に複数枚以上設けた水車を、該水車のどちらか一方向の回転力が大きく、且つ該水車の回転軸がルアーを引く方向に対して垂直になるように、ルアー本体の最後尾に回動自在に取り付けるように構成したものである。
【００２９】このような請求項１０記載の発明によれば、釣り糸を引くことにより水車が回転し、略尾鰭状の羽をルアーの最後尾で回転させることが出来る。
【００３０】請求項１１記載の発明に係る尾を振るルアーは、ルアー本体の最後尾に、凹状の水車受けを、該水車受けの切欠き部が上下方向向きに且つその開放端が後方向きになるように形成する。更に、４枚のほぼ平坦な前記略尾鰭状の羽を９０度間隔（羽平面間）に設けた前記水車を、前記水車受けの開放端の先端に回動自在に軸着する。そして、該水車の回転軸中心位置が水面より数ｍｍ程度上になるようルアーに浮力を持たせて構成したものである。
【００３１】このような請求項１１記載の発明によれば、釣り糸を引くことにより、ルアーの最後尾の水面で水車が回転し、回転軸の後側の羽が水中から跳ね上げた直後に、回転軸の前側の羽が水面を叩く動きをルアーに与えることが出来る。
【００３２】請求項１２記載の発明に係る尾を振るルアーは、前記ルアーの材料に合成樹脂、ゴム、木、金属を用い、ルアーの構成部品毎に強度、比重、柔軟性を調整して構成したものである。
【００３３】このような請求項１２記載の発明によれば、ルアーの構成部品毎に適材適所の材料を選択出来るため、必要強度の確保やルアーの姿勢と動きを決める浮力バランスの最適化を容易に行なうことが出来る。また特に尾鰭に相当する部分に柔軟性の高いゴムや樹脂材料を一体又は別体に用いることにより、ルアーが発する波動を更に本物の小魚に近付けることが出来る。
【００３４】
【発明の実施の形態】以下、本発明の実施の形態について説明する。
（実施の形態１）図１は本発明の実施の形態１による尾を振るルアーの例を示す図であり、図１（ａ）は上面図、図１（ｂ）は図１（ａ）の側面図、図１（ｃ）は図１（ａ）の動作説明図、図１（ｄ）は図１（ｂ）の動作説明図を示す。先ず、図１に示すように、実施の形態１のルアーは、ルアー本体を前分割部１と後分割部２の前後に分割し、前分割部１と後分割部２を揺動自在に前後（Ｙ）方向に連結部３にて連結する。そして、水圧を受けてルアーを揺動させる抵抗部として、揺動に加えて沈降能力のある抵抗板（リップ）４を後分割部２の前端（進行側）に前方下方向きに突出して形成する。ここで、前記抵抗部としては、ルアーを引くことによる抵抗部が受ける水圧変化により、抵抗部を設けた分割部が揺動可能であれば、従来から用いられているような様々な形状の物が適用可能である。また前記連結部３近辺のそれぞれの分割部の形状は、後分割部２を前記抵抗部の機能を発揮し易い形状に形成し、両分割部の揺動による干渉が無い程度に前分割部１の形状を後分割部２の形状に合わせるように隙間を詰めて形成する。次に釣り糸を結ぶアイレット５を前分割部１の前端（進行側）に設けると共に、前分割部１側の前記連結部３を前記アイレット５と一体に前分割部１の後端に突出するように、前分割部１に貫設する。また、後分割部２側の前記連結部３を後分割部２の前端に設けて、前期前分割部１側の連結部３に揺動自在に連結すると共に、その他端を釣り針連結部６として前記連結部３と一体に後分割部２の下端に突出するように後分割部２に貫設する。そして、後分割部２の最後尾に略尾鰭状の尾鰭部７を設ける。更に、別の釣り針連結部６ａを、後分割部２下端の前記尾鰭部７の前近辺にも設けて、釣り針８を連結する。
【００３５】（実施の形態１の作用）先ず、図２に本物の小魚の泳ぎを上面から見た動作説明図を、また図３（ａ）に従来のリップを設けた一体型のルアーを上面から見た動作説明図を、図３（ｂ）に従来のリップを設けたジョイントタイプのルアーを上面から見た動作説明図を、図３（ｃ）に図３（ｂ）を側面から見た動作説明図を示し、前記
【０００３】、
【０００４】段落に記した本物の小魚と従来のリップを設けたルアーの動作を補足説明する。本物の小魚の通常の泳ぎは、図２のように、主に尾鰭部７の左右方向（Ｘ方向）への揺動（ヨーイング）によって水を後方に撹乱して尾鰭部７から後方に自発的に波動を発する。この時の小魚の頭部１ａは、尾鰭部７の左右へのヨーイングとは逆方向にほんの少し揺動して頭部１ａから尾鰭部７に渡って緩やかなＳの字を描く。そして、前記ヨーイングと共に、頭部１ａから尾鰭部７までの体の軸を体側側Ｘ方向から見てほぼ水平に保ちながら、該体の軸を少しだけ左右に傾けて（ローリングして）しなやかな尾鰭部７の揺動を可能にしている。また、特に弱った小魚は、水面近くで頭部１ａや体側部を上に向けたまま尾鰭部７や頭部を振ったり、急に大きくローリングしたり、一定でない蛇行をしたりという不規則な動きをする。そして、これらの不規則な小魚の動きが、小魚を捕食するルアー釣りの対象魚を本能的に誘引することが知られている。
【００３６】これに対し、従来のリップを設けた一体型のルアーは、図３（ａ）のように、頭部１ａ近辺に設けられたリップ４の付け根付近を中心にした、主に左右への揺動（ヨーイング）を行うため、本物の小魚に対して、頭部１ａの左右方向への揺動は直線的で極めて大きい。また、尾鰭にあたる略円錐状の尾鰭部７の揺動も直線的で振幅の割りに振れ角が小さい。その結果、ルアーの全体から四方八方に発せられる波動も本物の小魚とは大きく異なる。他方、ジョイントタイプの（または尾鰭に相当する物を連結した）ルアーは、図３（ｂ）のように、前分割部１の頭部１ａ近辺に設けられたリップ４の付け根付近を中心にしたヨーイングに、後分割部２（または尾鰭に相当する物）が連結部３を最大振幅としながら振り回されるようについていくだけである。よって、本物の小魚に対して、頭部１ａの左右方向への揺動は前記一体型のルアーと同じく極めて大きい。また、尾鰭にあたる略円錐状の尾鰭部７の振幅幅と振れ角の双方が本物の小魚に対して非常に小さく、且つ尾鰭部７に対する頭部１ａの揺動方向が反対（尾鰭部７と同方向）になってしまう。その結果、主にルアーの頭部１ａから発せられる波動も本物の小魚とは大きく異なる。また、従来のリップが設けられたルアーの泳ぎは、図３（ｃ）（図はジョイントタイプで代用）のように、リップ４の設けられた頭部１ａが水圧で押し下げられるため、前のめりに尾鰭部７に対して頭部１ａを下げる姿勢になり、小魚の通常の水平姿勢や、弱って頭部１ａを上げる姿勢の泳ぎとは大きく異なる。
【００３７】これらに対し、（実施の形態１の作用）を図１（ｃ）と図１（ｄ）において説明する。図１（ｃ）は、ルアーの泳ぎを上から見た動作説明図で、左右方向への揺動の振幅が最大になった時の姿勢をそれぞれ、実線と２点鎖線で示す。また、図１（ｄ）は図１（ｃ）の側面図であり、２点鎖線はルアーの姿勢の適用例を示す。先ず、図１（ｃ）ように、頭部１ａである前分割部１が釣り糸９で引かれることにより、後分割部２の抵抗板（リップ）４が水圧変化を受け、前後の分割部の連結部３付近でもある前記抵抗板４の付け根付近を中心にした後分割部２の左右へのヨーイングが、後分割部２の後端である尾鰭部７の先端を最大振幅として小魚の尾鰭のように揺動させる。この時、頭部１ａは、アイレット５に結ばれた釣り糸９の張力を、連結部３を介して前記後分割部２に伝える。そして、頭部１ａは、前記後分割部２の揺動の中心付近にある連結部３の揺動自在な支点の効果と前分割部１自体の慣性力により、前記後分割部２の揺動を効果的に吸収するため、小魚と同様に尾鰭部７と反対方向にわずかに左右に揺動するだけである。更に、外観上、抵抗板（リップ）４が頭部１ａから殆ど突出しないため、従来のルアーのように、頭部１ａから大きく突出した抵抗板（リップ）４により頭でっかちに見えるルアー形状が、対象魚に違和感を与えて対象魚に嫌われることが無くなる。また、後分割部２に抵抗板（リップ）４部を水圧で押し下げようとする力が働くが、釣り糸９の張力が、連結部３を支点に頭部１ａを持ち上げる方向の回転モーメント（力）として作用すると共に、該モーメントが前分割部１を介して後分割部２に伝わる。よって、頭部１ａと共に抵抗板（リップ）４部を、尾鰭部７に対して前のめりに下げる姿勢をとることなく、図１（ｄ）の実線に示すように、小魚の通常の水平に近い姿勢で泳ぐことが出来る。さらに、この頭部１ａの動作の自由度を活かして、小魚のように尾鰭部７と頭部１ａを揺動させながら泳ぐルアーの頭部１ａの向きを、前記連結部３を支点にして釣り糸９を引く方向に向けることが出来るようになり、図１（ｄ）の２点鎖線に示すように、特に頭部１ａを上げながら尾鰭部７を振る弱った小魚特有の動きも、ルアーを引くだけで容易に再現出来る。この尾鰭部７に対して頭部１ａを上げて傾く姿勢は、頭部１ａである前分割部１に対して尾鰭部７のある後分割部２の材料の比重を大きくすることや、ルアー全体を（水に浮くフローティングタイプから）水に沈む比重を持つシンキングタイプに構成することによって、その傾きを大きくすることが出来る。また、前記後分割部２の揺動に対して該後分割部２と前分割部１の近接部が衝突する範囲まで両部材間の可動範囲である隙間を小さくすることによって、尾鰭部７の揺動の振幅の大きさを制御できる上に、後分割部２の揺動と共に該後分割部２と前分割部１が衝突音を発するため、（従来のルアーのラトル音の機能と同様に）対象魚に音でアピールして誘引効果を向上することが出来る。以上より、（実施の形態１）のルアーは、従来のルアーでは出来ていなかった、
【０００３】段落に示す、本物の小魚に極めて近い通常の泳ぎと弱った泳ぎを可能とするため、本物の小魚に極めて近い波動を発し、スレた釣りの対象魚を効果的に誘引することが出来る。また、それを現実的に安価に作成可能である。
【００３８】（実施の形態２）図４は本発明の実施の形態２による尾を振るルアーの例を示す図であり、図４（ａ）は側面図、図４（ｂ）は図４（ａ）の断面ＡＡにおける断面図、図４（ｃ）は図４（ｂ）と同断面の動作説明図を示す。先ず、図４（ａ）、図４（ｂ）に示すように、実施の形態２のルアーは、ルアー本体を前分割部１と後分割部２の前後に分割し、前分割部１と後分割部２とを左右方向（Ｘ方向）に回動自在に連結部３にて軸着する。そして、水圧を受けてルアーを揺動させる抵抗部として、揺動に加えて沈降能力のある抵抗板（リップ）４、４ａをそれぞれ前分割部１と後分割部２の前端に前方下方向きに突出して形成する。ここで、前記連結部３は、後分割部２の抵抗板（リップ）４ａの直後に設けた略丸孔状の貫通孔３ａと、前記貫通孔３ａに遊貫し、前分割部１の下端に軸止して設ける回転軸３ｂとから構成する。そして、前記抵抗部としては、ルアーを引くことによる抵抗部が受ける水圧変化により、抵抗部を設けた分割部が揺動可能であれば、従来から用いられているような様々な形状の物が適用可能である。また、前記連結部３近辺のそれぞれの分割部の形状は、両分割部の回動による摺動面を水平方向（ＸＹ平面上）に形成し、後分割部２が前記抵抗部の機能を発揮し易いように、後分割部２を該摺動面の下側に、また該後分割部２の最後尾に略尾鰭状の尾鰭部７を設ける。そして、両分割部の回動による衝突が無い程度に前分割部１の形状を後分割部２の形状に合わせるように隙間を詰めて形成する。次に釣り糸を結ぶアイレット５を前分割部１の前端に設けると共に、該アイレット５の他端を釣り針連結部６として、該アイレット５と一体に、該前分割部１の下端に突出するように前分割部１に貫設する。更に、前記回転軸３ｂの下端に、後分割部２が該回転軸３ｂから抜け落ちないように突起部を備えた釣り針連結部６ａを設け、それぞれの釣り針連結部に釣り針８を連結する。
【００３９】（実施の形態２の作用）図４（ｃ）は、ルアーの泳ぎを上から見た動作説明図で、左右方向への揺動の振幅が最大になった時の姿勢を、実線とそれに線対称な２点鎖線で示す。実施の形態２のルアーは、実施の形態１の作用に示した、後分割部２後端の尾鰭部７の揺動に加えて、前分割部１に設けた抵抗板（リップ）４も水圧変化を受け、前記抵抗板４の付け根付近を中心にした前分割部１のヨーイングが同時に生じる。つまり、前分割部１のヨーイング運動の上で後分割部２がヨーイング運動を行なう。この時、双方のヨーイング運動に相対的な規定の動作が生じないため、尾鰭部７の動きは、双方のヨーイング運動の合成による非常に不規則な揺動となる。そして、前分割部１は、アイレット５に結ばれた釣り糸９の張力を前方に受けて揺動するが、揺動する後分割部２の後方向きの水圧抵抗力を連結部３で受けるため、前分割部１の揺動は、自由に揺動する後分割部２の揺動よりも左右への振幅は小さくなる。また、前後の抵抗板（リップ）４、４ａの揺動性能（面積と形状と取り付け位置による）をそれぞれ調整することによっても頭部１ａと尾鰭部７の揺動を調整することが出来る。よって、前記の頭部１ａのわずかな揺動と、尾鰭部７の先端を最大振幅とした揺動が、小魚の通常の泳ぎに極めて近い上に、図４（ｃ）に２点鎖線で示すように、ルアーを一定速で引くだけで、前記の不規則な揺動が、急に大きなローリングや一定でない蛇行を生じさせるため、弱った小魚に極めて近い泳ぎも容易に再現出来る。また、従来のルアーの前端だけ一箇所の抵抗板では、限界があった沈降能力を、前後の抵抗板（リップ）４、４ａでそれぞれ発揮することにより、沈降能力をより向上することが出来る。また、該沈降能力が向上した分、前の抵抗板４の小型化が図れるため、大きな抵抗板により頭でっかちに見えるルアー形状が、対象魚に違和感を与えて対象魚に嫌われることが無くなる。また、前記後分割部２の回動に対して該後分割部２と前分割部１の近接部が衝突する範囲まで両部材間の可動範囲である隙間を小さくすることによって、尾鰭部７の揺動の振幅の大きさを制御できる上に、後分割部２の揺動と共に該後分割部２と前分割部１が衝突音を発するため、（従来のルアーのラトル音の機能と同様に）対象魚に音でアピールして誘引効果を向上することも可能である。以上より、（実施の形態２）のルアーは従来のルアーでは出来ていなかった、
【０００３】段落に示す、本物の小魚に極めて近い通常の泳ぎと弱った泳ぎを可能とするため、本物の小魚に極めて近い波動を発し、スレた釣りの対象魚を効果的に誘引することが出来る。また、それを現実的に安価に作成可能である。
【００４０】（実施の形態３）図５は本発明の実施の形態３による尾を振るルアーの例を示す図であり、図５（ａ）は側面図、図５（ｂ）は図５（ａ）の断面ＡＡにおける断面図、図５（ｃ）は図５（ｂ）と同断面の動作説明図、また図５（ｄ）は別構成の変形例の図５（ｂ）と同断面の断面図を示す。先ず、図５（ａ）、図５（ｂ）に示すように、実施の形態３のルアーは、回転部２ｂの前後両端のそれぞれに、水圧を受けてルアーを揺動沈降させる抵抗部と略尾鰭状の尾鰭部７とを備えて成る揺動部２ａを形成する。そして、前記抵抗部として抵抗板（リップ）４を前記回転部２ｂの前端に前方下方向きに突出して形成すると共に、前記揺動部２ａをルアー本体１ｂに対して左右（ヨー）方向に回動自在に連結部３にて軸着する。ここで、前記連結部３は、前記揺動部２ａの抵抗板（リップ）４の直後に設けた略丸孔状の貫通孔３ａと、前記貫通孔３ａに遊貫し、前記ルアー本体１ｂの前端に該ルアー本体１ｂと一体または別体に設けた回転軸３ｂとから構成する。また、前記抵抗部としては、ルアーを引くことによって抵抗部が受ける水圧変化により、抵抗部を設けた揺動部２ａが揺動可能であれば、従来から用いられているような様々な形状の物が適用可能である。更に、前記回転部２ｂの左右（ヨー）方向への可動範囲の左右外側のルアー本体１ｂに、該ルアー本体１ｂと一体に外形形状を兼ねた縦壁１ｃを左右対称に形成し、該縦壁１ｃ前端部の左右間の内幅寸法よりも、その直前部の前記揺動部２ａの左右幅寸法を大きく設ける。そして、前記縦壁１ｃをどちらか一方に含む上下に分割されたルアー本体上部１ｄとルアー本体下部１ｅで前記回転部２ｂを滑動可能に挟み込むように、前記縦壁１ｃ部にてルアー本体上部１ｄとルアー本体下部１ｅを接合して構成する。この時、前期回転軸３ｂをルアー本体１ｂと一体に形成する場合は、前記縦壁１ｃ部の接合と同様に、該回転軸３ｂにおいてもルアー本体上部１ｄとルアー本体下部１ｅを接合して構成する。更に、釣り糸９を結ぶアイレット５、５ａをそれぞれルアー本体上部１ｄおよび前記連結部３の直前の揺動部２ａに設ける。そして、ルアー本体下部１ｅの下端に釣り針連結部６、６ａをそれぞれ設け、それぞれの釣り針連結部に釣り針８を連結する。次に、以上の実施の形態３の前記回転部２ｂとルアー本体１ｂの構成の変形例を説明する。先ず、図５（ｄ）に示すように、前記回転部２ｂの外形状をルアー本体１ｂの外形状とほぼ等しく形成すると共に、前記揺動部２ａの左右（ヨー）方向への可動範囲を確保可能なように、前記回転部２ｂにその内側を上下方向に貫通する前端が半円形状の貫通孔３ａと、該貫通孔３ａの半円に楕円の一端の半円を合わせて内接する楕円断面形状の縦壁１ｃとを設ける。そして、前記縦壁１ｃを該縦壁１ｃと少なくともどちらか一方が一体に形成されたルアー本体上部１ｄとルアー本体下部１ｅで前記回転部２ｂを滑動可能に挟み込むように、該縦壁１ｃ部にてルアー本体上部１ｄとルアー本体下部１ｅを接合して構成する。そして、前記揺動部２ａの材料に、ステンレススチール等の防錆性能の高い金属または合成樹脂を用いる。ここで、前記揺動部２ａに金属材料を用いる場合は、前記尾鰭部７を別対に形成して、前記回転部２ｂにカシメまたは溶接により接合して構成する。
【００４１】（実施の形態３の作用）図５（ｃ）は、ルアーの泳ぎを上から見た動作説明図で、前記揺動部２ａの左右方向への揺動の振幅が最大になった時の姿勢をそれぞれ、実線と２点鎖線で示す。図５（ａ）、図５（ｂ）、図５（ｃ）に示すように、頭部１ａにあるアイレット５またはアイレット５ａが、釣り糸９で引かれることにより、揺動部２ａの抵抗板（リップ）４が水圧変化を受け、抵抗板（リップ）４の付け根付近でもある連結部３を中心にした左右へのヨーイングが、尾鰭部７を該尾鰭部７の先端を最大振幅として小魚の尾鰭のように揺動させる。ここで、ルアーを引く釣り糸９を結ぶ位置をアイレット５ａに対してアイレット５にした場合、釣り糸９の張力の入力点が、前記揺動部２ａから前記ルアー本体上部１ｄに移動し、該釣り糸９の張力による拘束力が前記揺動部２ａにおいては減少し、ルアー本体１ｂにおいては増加するため、前記揺動部２ａの揺動はより振動数が高く軽快に、またルアー本体１ｂの揺動は前記揺動部２ａの振幅の割りに振幅が小さくなる。つまり、１つのルアーで２パターンの尾鰭部７の振動数、および尾鰭部７とルアー本体１ｂの相対運動の大きさを、釣り糸９を結ぶアイレット（５、５ａ）の位置によって、釣りの状況に合わせて選択することが出来る。そして、従来のルアーおよび、実施の形態１、２のルアーに対して、抵抗板４と尾鰭部７の間の回転部２ｂをステンレススチール等により薄く、軽く構成することにより、回転部２ｂ周辺の慣性力と水の抵抗を格段に小さく出来る。
よって、尾鰭部７の揺動性能が高まり、ルアーを引く速度がより遅くても、尾鰭部７を活き活きと機敏で軽快に揺動させることが出来る。更に、尾鰭部７を含む揺動部２ａの揺動によるルアー本体１ｂの振動が小さい上に、揺動部２ａの揺動がルアー本体１ｂに伝わりにくいため、頭部１ａは小魚と同様に尾鰭７と反対方向にわずかに左右に揺動するだけである。また、図５（ｄ）に示す前記変形例においては、前記回転部２ｂの貫通孔３ａに内接する縦壁１ｃが、前記揺動部２ａの回転軸、およびルアー本体上部１ｄとルアー本体下部１ｅの接合部を兼用するため、図５（ｃ）と同様なルアーの動きを確保しながら、ルアーを更に安価に作成することが出来る。更に、実施の形態３と前記変形例のどちらの場合においても、前記揺動部２ａの形状により、前記回転部２ｂとルアー本体１ｂとの間に異物が侵入するのを防止することが出来る。更に、前記貫通孔３ａと回転軸３ｂ、および前記変形例の貫通孔３ａと縦壁１ｃの孔と回転軸の関係において、双方間の左右方向の遊び（ガタ）を大きくすることによって、揺動部７の回転運動に左右方向への横滑り運動を合成することが出来るため、尾鰭部７の揺動をしなやかな小魚の動きに近付けることが出来る。そして、前記回転部２ｂと縦壁１ｃ、および前記変形例の貫通孔３ａと縦壁１ｃの回転部２ｂと縦壁１ｃによる可動範囲規制の関係において、回転部２ｂの揺動に縦壁１ｃが衝突する範囲まで両部材間の可動範囲を小さくすることによって、尾鰭部７の揺動の振幅の大きさを制御できる上に、回転部２ｂの揺動と共に回転部２ｂと縦壁１ｃが衝突音を発するため、（従来のルアーのラトル音の機能と同様に）対象魚に音でアピールして誘引効果を向上することが出来る。以上より、（実施の形態３）のルアーは従来のルアーでは出来ていなかった、
【０００３】段落に示す、本物の小魚に極めて近い機敏で軽快、且つしなやかな泳ぎを可能とするため、本物の小魚に極めて近い波動を発し、スレた釣りの対象魚を効果的に誘引することが出来る。また、それを現実的に安価に作成可能である。
【００４２】（実施の形態４）図６は本発明の実施の形態４による尾を振るルアーの例を示す図であり、図６（ａ）は上面図、図６（ｂ）は図６（ａ）の側面図、図６（ｃ）は図６（ｂ）の動作説明図である。先ず、図６（ａ）、図６（ｂ）、図６（ｃ）に示すように、実施の形態４のルアーは、小魚が弓状に体を横に反らすように、ルアー本体１ｂの頭部１ａと尾鰭部７が上に位置する姿勢に形成する。次に、略尾鰭状の尾鰭部７をルアー本体１ｂの最後尾の連結部に、ほぼ上下方向に回動自在に回転軸３ｂにて軸着する。そして、前記尾鰭部７の回転軸３ｂの中心位置が水面１０近辺に、また頭部１ａの最上部位置が水面１０より上に位置して水に浮かぶようにルアーの浮力バランスを調整する。更に、ルアーが水に浮かんだ状態で、尾鰭部７の回動範囲が水面１０より下方に１０度程度から水面１０より上方に７０度程度までとなるように、該尾鰭部７の回動を規制する上ストッパー７ａと下ストッパー７ｂを回転軸３ｂの上下のルアー本体１ｂ位置にそれぞれ形成する。また、釣り糸９を結ぶアイレット５を尾鰭部７の上面に、釣力で該アイレット５が抜けないように、アイレット５の他端を尾鰭部７の裏面まで貫通させてカシメ等により締結する。また釣り糸９を通すリング状の前ガイド５ｂと後ガイド５ｃをそれぞれ頭部１ａと上ストッパー７ａの上部に設ける。そして、ルアー本体１ｂの下端に釣り針連結部６を、また下ストッパー７ｂの下端に釣り針連結部６ａを設け、それぞれの釣り針連結部に釣り針８を連結する。
【００４３】（実施の形態４の作用）図６（ｃ）は、ルアーの動きを横から見た動作説明図で、尾鰭部７の上下方向への揺動の振幅が最大になった時の姿勢をそれぞれ、実線と２点鎖線で示す。図６（ｃ）に示すように、釣り糸９を前ガイド５ｂ、後ガイド５ｃの順に通してから尾鰭部７上のアイレット５に結ぶ。そして、釣り糸９を引くことによる尾鰭部７の回転跳ね上げと、釣り糸９を緩めることによる尾鰭部７の自重による元位置復帰を繰り返すことが出来る。ここで、尾鰭部７が水に沈む大きな比重の場合は、尾鰭部７を回転軸３ｂより下の水中からパシャッという音と水しぶきを伴って水上に跳ね上げ、続いて尾鰭部７を回動範囲の最上点付近から位置エネルギーを最大に活かした回転落下により、水面をピシャッと叩いて入水させるという、派手な尾鰭部７の動きを再現出来る。逆に、尾鰭部７が水に浮かぶ小さな比重の場合は、水面１０に浮かぶ尾鰭部７をヒラッと静かに跳ね上げ、続いて尾鰭部７を水面１０に波紋をたてる程度にそっと着水させるという、繊細な尾鰭部７の動きも再現出来る。尚、上ストッパー７ａと下ストッパー７ｂのそれぞれの位置角度は、前記の尾鰭部７の回動による機能を釣り糸９の操作で可能とするのに必要な設計値である。また、尾鰭部７を波打つ水面１０に浮かべてヒラヒラと漂わせるだけでも、対象魚を誘引することが出来る。そして、尾鰭部７がいずれの比重においても、尾鰭部７の揺動を操り人形のように繊細に直接操ることが可能で、しかもその操作に必要な釣り糸９の張力が、抵抗部の水圧変化で揺動を得る従来のルアーに比べて非常に小さくて済む。よって、釣り糸９を引いてのルアーの揺動操作を、最小のルアーの移動量で可能にするため、対象魚の潜む位置に投入したルアーの移動量が数十センチ以内の範囲でしか釣果を得ることが出来ないことが多いルアー釣りにおいて、釣果の向上を図ることが出来る。更に、以上のような尾鰭部７の揺動の際に、ルアー本体１ｂは、体側部を上下に向けながら、尾鰭部７を操る釣り糸の張力の強弱を、頭部１ａの前ガイド５ｂを通して伝えられるため、ルアー本体１ｂの前後を上下に揺動（ピッチング）させる。現実的には、このルアー本体のピッチングの動きと、以上の尾鰭部７の揺動が一緒に生じるため、主に回転軸３ｂの水面１０に対する上下位置の変動により、尾鰭部７の水面１０付近を上下する動きと水音に様々な変化を与えることが可能となり、弱った小魚の不規則な動きを容易に再現することが出来る。以上より、（実施の形態４）のルアーは従来のルアーでは出来ていなかった、
【０００３】段落に示す、本物の弱った小魚に極めて近い繊細で不規則な動きを自発的に可能とするため、本物の小魚に極めて近い波動を発し、スレた釣りの対象魚を効果的に誘引することが出来る。また、それを現実的に安価に作成可能である。
【００４４】（実施の形態５）図７は本発明の実施の形態５による尾を振るルアーの例を示す図であり、図７（ａ）は上面図、図７（ｂ）は図７（ａ）の側面図、図７（ｃ）は図７（ｂ）の動作説明図である。先ず、図７（ａ）、図７（ｂ）に示すように、実施の形態５のルアーは、前記尾鰭部７の一部または全部を分割して尾鰭分割部７ｃを別体に形成すると共に、該尾鰭分割部７ｃを元の分割位置に、回動自在に回転軸３ｂにて軸着する。
【００４５】（実施の形態５の作用）図７（ｃ）は、ルアーの泳ぎを上から見た動作説明図で、左右方向への揺動の振幅が最大になった時の姿勢をそれぞれ、実線と２点鎖線で示す。実施の形態５のルアーは、前記の尾鰭部７の揺動の際に、尾鰭分割部７ｃが揺動方向への水圧を受けて、揺動方向と反対側に回転軸を中心に回動する。よって、尾鰭部７の自由度が増した分、図２に示すように、本物の小魚の頭部から尾鰭に渡って緩やかなＳの字を描くしなやかな泳ぎを再現することが出来る。その結果、より本物の小魚に近い波動をルアーから後方に発することが出来る。以上より、（実施の形態５）のルアーは、前記実施の形態１〜４に示したルアーを、更に本物の小魚に近い泳ぎにするため、より本物の小魚に近い波動を発し、スレた釣りの対象魚を効果的に誘引することが出来る。また、それを現実的に安価に作成可能である。
【００４６】（実施の形態６）図９は本発明の実施の形態６による尾を振るルアーの例を示す図であり、図９（ａ）は上面図、図９（ｂ）は図９（ａ）の側面図、図９（ｃ）は図９（ｂ）の動作説明図である。先ず、図９（ａ）、図９（ｂ）に示すように、実施の形態６のルアーは、小魚が弓状に体を横に反らすように、ルアー本体１ｂの頭部１ａと尾鰭部７が上に位置する姿勢に形成する。
次に、ルアー本体１ｂの最後尾に、凹状の水車の連結部３を、該連結部３の切欠き部が上下方向向きに且つその開放端が後方向きになるように形成する。そして、４枚のほぼ平坦な略尾鰭状の羽７ｅを９０度間隔（羽平面間）に設けた水車７ｄを、前記連結部３の開放端の先端に回動自在に回転軸３ｂにて軸着する。そして、前記水車７ｄの回転軸３ｂの中心位置が水面１０より数ｍｍ程度上に位置して水に浮かぶようにルアーの浮力バランスを調整する。そして、釣り糸９を結ぶアイレット５を頭部１ａの上部に、また釣り針連結部６をルアー本体１ｂの下端に設け、釣り針８を釣り針連結部６に連結する。
【００４７】（実施の形態６の作用）図９（ｃ）は、ルアーの動きを横から見た動作説明図で、水車７ｄが前転する姿勢を示す。図９（ｃ）に示すように、アイレット５に結んだ釣り糸９を引くことにより、ルアーの最後尾の水面１０で水車７ｄの羽７ｅが水圧を受けて前方向に回転し、パシャピシャ水音をたてながら水を跳ね上げて、前進することが出来る。この時、回転軸３ｂが水面１０より少しだけ上に位置するため、４枚のうちの１枚の羽７ｅが回転軸３ｂの後側に水中から跳ね上げた直後には、該跳ね上げた直後の羽と１８０度反対位置の回転軸３ｂの前側の羽７ｅが水面を叩くように入水する。よって、ルアーを引き続けるだけで、羽７ｅの跳ね上げ（パシャ音）とその直後の叩き入水（ピシャ音）を繰り返すため、パシャピシャ、パシャピシャという弱った小魚の尾鰭の跳ね上げと入水の連続音を小魚と同様な音色とタイミングで再現することが出来る。そして、釣り糸９の張力に強弱を付けてルアーを引くことによって、羽７ｅの跳ね上げと叩き入水の勢いに強弱感を付けることが出来ると共に、ルアー本体は体側部を上下に向けながらルアー本体の前後を上下に揺動（ピッチング）させる。現実的には、このルアー本体のピッチングの動きと以上の水車７ｄの回動が一緒に生じるため、主に回転軸３ｂの水面１０に対する上下位置の変動により羽７ｅの水面１０付近を出入りする動きとタイミングと水音に様々な変化を与えることが可能となり、弱った小魚の不規則な動きを容易に再現することが出来る。以上より、（実施の形態６）のルアーは従来のルアーでは出来ていなかった、
【０００３】段落に示す、本物の弱った小魚に極めて近い繊細で不規則な動きを可能とするため、本物の小魚に極めて近い波動を発し、スレた釣りの対象魚を効果的に誘引することが出来る。また、それを現実的に安価に作成可能である。
【００４８】（実施の形態７）図８は本発明の実施の形態７による尾を振るルアーの例を示す側面図である。実施の形態７のルアーは、前記実施の形態１〜６のルアーの材料に、合成樹脂、ゴム、木、金属を用い、ルアーの構成部品毎に強度、比重、柔軟性を調整して構成する。特に、実施の形態１〜５のルアーにおいては、ルアー本体の前後または上下に分割された各構成部品、および尾鰭部７の分割部を構成する各構成部品に、隣接部品間で比重の異なる材料を使用することも出来る。また、異種材料の適用例として、図８に示すように、柔軟性の高いゴムや樹脂材料から成る略尾鰭形状のソフト尾鰭７ｆを形成し、ルアーの後端の尾鰭突起部７ｇに引っ掛けるように被せて覆設することも出来る。
【００４９】（実施の形態７の作用）
ルアーの構成部品毎に適材適所の材料を選択出来るため、ルアーの必要強度の確保の他、水中における姿勢（ピッチ、ロール、ヨー）と動きを決める浮力バランスの最適化をバランスウェイトを頻繁に使用することなく容易に行なうことが出来る。また、異種材料の適用例のように、特に尾鰭に相当する部分に小魚と同様な柔軟性の高い材料を用いることにより、ルアーが発する波動を更に本物の小魚に近付けることが出来る。以上より、（実施の形態７）のルアーは前記実施の形態１〜６に示したルアーを、更に本物の小魚に近い泳ぎにするため、より本物の小魚に近い波動を発し、スレた釣りの対象魚を効果的に誘引することが出来る。また、それを現実的に安価に作成可能である。
【００５０】
【発明の効果】以上の作用をまとめると、本発明は下記の効果を得ることが出来る。
（イ）本物の小魚の通常の泳ぎである尾鰭を起点とした揺動に極めて近い泳ぎを容易に再現可能なルアーを作成出来る。
（ロ）本物の小魚の不規則で弱った尾鰭の揺動に極めて近い動きを容易に再現可能なルアーを作成出来る。
（ハ）よって、ルアーが（イ）（ロ）の動きと共に発する波動が、スレた釣りの対象魚も効果的に誘引するため、釣果が上がり、ルアー釣りを存分に楽しむことが出来る。
（ニ）以上の効果を、容易な構成で安価に作成し、提供出来る。
【図面の簡単な説明】
【図１】本発明による実施の形態１を示す図で、図１（ａ）〜（ｄ）は、それぞれ上面図、側面図、上面図の動作説明図、側面図の動作説明図である。
【図２】本物の小魚の上面図の動作説明図である。
【図３】従来のルアーを示す図で、図３（ａ）〜（ｃ）は、それぞれ一体型ルアーの上面図の動作説明図、ジョイントタイプルアーの上面図の動作説明図、ジョイントタイプルアーの側面図の動作説明図である。
【図４】本発明による実施の形態２を示す図で、図４（ａ）〜（ｃ）は、それぞれ側面図、断面ＡＡにおける断面図、断面ＡＡにおける動作説明図である。
【図５】本発明による実施の形態３を示す図で、図５（ａ）〜（ｄ）は、それぞれ側面図、断面ＡＡにおける断面図、断面ＡＡにおける動作説明図、変形例の断面ＡＡにおける断面図である。
【図６】本発明による実施の形態４を示す図で、図６（ａ）〜（ｃ）は、それぞれ上面図、側面図、側面図の動作説明図である。
【図７】本発明による実施の形態５を示す図で、図７（ａ）〜（ｃ）は、それぞれ上面図、側面図、上面図の動作説明図である。
【図８】本発明による実施の形態７の異種材料の適用例を示す図である。
【図９】本発明による実施の形態６を示す図で、図９（ａ）〜（ｃ）は、それぞれ上面図、側面図、側面図の動作説明図である。
【符号の説明】
１    前分割部
１ａ  頭部
１ｂ  ルアー本体
１ｃ  縦壁
１ｄ  ルアー本体上部
１ｅ  ルアー本体下部
２    後分割部
２ａ  揺動部
２ｂ  回転部
３    連結部
３ａ  貫通孔
３ｂ  回転軸
４    抵抗板（リップ）
４ａ  抵抗板（リップ）
５    アイレット
５ａ  アイレット
５ｂ  前ガイド
５ｃ  後ガイド
６    釣り針連結部
６ａ  釣り針連結部
７    尾鰭部
７ａ  上ストッパー
７ｂ  下ストッパー
７ｃ  尾鰭分割部
７ｄ  水車
７ｅ  羽
７ｆ  ソフト尾鰭
７ｇ  尾鰭突起部
８    釣り針
９    釣り糸
１０  水面
【図１】
2004173657.tif 000003
【図２】
2004173657.tif 000004
【図３】
2004173657.tif 000005
【図４】
2004173657.tif 000006
【図５】
2004173657.tif 000007
【図６】
2004173657.tif 000008
【図７】
2004173657.tif 000009
【図８】
2004173657.tif 000010
【図９】
2004173657.tif 000011